(57)【特許請求の範囲】
【請求項１】
食品を収納する加熱室と、この加熱室内の食品を加熱するための加熱手段と、前記加熱室に通過孔を介して結合されたセンサ取付板と前記食品から放射される赤外線を検出するための焦電型の赤外線センサと、赤外線を断続的に遮断するチョッパーと、前記チョッパーを回転させるモータと前記センサ取付板に取付けた前記チョッパーを受けるチョッパー受けと、前記チョッパーの回転や位置検出する位置センサを備え、前記チョッパーは前記モータの軸に固定せず回転のみ伝わり、かつ前記チョッパー受けの上を滑りながら回転できる構成にした加熱装置。
【請求項２】
赤外線センサとチョッパーの間に仕切り板を設け、センサの非動作時に蒸発や汚れの進入を防止することを特徴とする請求項１記載の加熱装置。
【発明の詳細な説明】
【０００１】
【発明の属する技術分野】
本発明は、焦電型赤外線センサ搭載の加熱装置、特にセンサの構造に関する。
【０００２】
【従来の技術】
図４をもとに従来例について説明する。図４は、従来の焦電型赤外線センサ搭載の加熱装置のセンサ部の要部断面図である。加熱室１の上部にセンサ取り付け板２に取り付けられた赤外線センサ３を設け、加熱室１で加熱された食品から放射される赤外線が加熱室１の上部に設けた通過孔４とセンサ取り付け板２に設けた通過孔５を通り赤外線センサ３にて検出する構成になっており、通過孔４，５の通過した赤外線をモータ６の軸７に固定板８にて固定されたチョッパー９を回転させて断続的に遮断し、赤外線センサ３が食品からの赤外線を検出する。また、チョッパー９の回転や位置検出する位置センサ１０を設けて、赤外線センサ３が検出している赤外線が食品からかチョッパー９からかを判定をし、食品の温度を検知する構成になっている。
【０００３】
【発明が解決しようとする課題】
しかしながらこのような図４に示す従来例のセンサの構造では、モータ６の軸７のがたつきにより、チョッパー９が安定して回転をせず赤外線センサ３や位置センサ１０との間に大きな隙間を設けることが必要になると共に、チョッパー９の赤外線検出時に赤外線センサ３が発生する電圧が安定しないという課題を有していた。
【０００４】
さらに、赤外線センサ３の非動作時にチョッパー９を赤外線センサ３と通過孔４，５を遮る状態で止めても、赤外線センサ３とチョッパー９との間の大きな隙間から蒸発が進入し赤外線センサ３が汚れるという課題も有していた。
【０００５】
本発明は、上記課題を解決するもので、チョッパーがモータの軸のがたつきの影響を無くすことにより、チョッパー先端部の振れを小さくし安定した回転を行える構造を提供する。また安定した回転のチョッパーと赤外線センサの間に仕切り板を設けることにより蒸気の進入を防ぎ赤外線センサの汚れを抑える。
【０００６】
【課題を解決するための手段】
本発明は、上記の課題を解決するために、センサ取り付け板にチョッパーを受けるチョッパー受けを設け、モータの軸に固定せず回転のみ伝わり、かつ前記チョッパー受けの上を前記チョッパーが滑りながら回ることにより、モータの軸の影響を受けずに安定した回転をすることかできるようにしたものである。
【０００７】
また上記発明によれば、前記チョッパーが安定して回転をするため、前記チョッパーと赤外線センサの間の仕切り板を設けることが可能になり、蒸気の進入を抑えることができる。
【０００８】
【発明の実施の形態】
本発明は、食品を収納する加熱室と、この加熱室内の食品を加熱するための加熱手段と、前記加熱室に通過孔を介して結合されたセンサ取付板と前記食品から放射される赤外線を検出するための焦電型の赤外線センサと、赤外線を断続的に遮断するチョッパーと、前記チョッパーを回転させるモータと前記センサ取付板に取付けた前記チョッパーを受けるチョッパー受けと、前記チョッパーの回転や位置検出する位置センサを備え、前記チョッパーは前記モータの軸に固定せず回転のみ伝わり、かつ前記チョッパー受けの上を滑りながら回転できる構成にしたものである。
【０００９】
そして、チョッパーをモータの軸に固定せずに回転をさせ、センサ取り付け板に前記チョッパーを受けるチョッパー受けを設け、前記チョッパー受けの上を前記チョッパーが滑りながら回ることにより、モータの軸のがたつきの影響を受けずに安定した回転ができ、センサーは安定した検知ができる。
【００１０】
また前記形態に加えて赤外線センサとチョッパーの間に仕切り板を設け、センサの非動作時に蒸気や汚れの進入を防止するものである。
【００１１】
そしてチョッパーが安定して回転するため、チョッパーと赤外線センサの間に仕切り板を設けることにより、蒸気の進入を抑えることができる。
【００１２】
【実施例】
（実施例）
本発明の実施例について図面を用いて説明する。
【００１３】
図３は、焦電型赤外線センサ搭載の加熱装置の要部断面図である。加熱室２１の上部の通過孔２５とセンサ取り付け板２２の通過孔２６を合致させて結合したセンサー取付板２２に取り付けられた赤外線センサ２３を設け、加熱室２１で加熱された食品２４から放射される赤外線が加熱室２１の上部に設けた通過孔２５とセンサ取り付け板２２に設けた通過孔２６を通り赤外線センサ２３にて検出する。通過孔２６を通過した赤外線をモータ２７の軸２８により回転されたチョッパー２９にて断続的に遮断し、赤外線センサ２３が赤外線を検出する構成になっている。尚、図１，図２は、センサ部の要部断面図である。
【００１４】
図１に示すようにチョッパー２９をモータ２７の軸２８は固定せずに回転のみを伝え、センサ取り付け板２２にチョッパー２９を受けるチョッパー受け３０を設け、チョッパー受け３０の上をチョッパー２９が滑りながら回ることにより、モータ２７の軸２８のがたつきの影響を受けずに安定した回転ができることにより、チョッパー２９と赤外線センサ２３との隙間を小さくすることができ、チョッパー２９の赤外線検出時に赤外線センサ２３が発生する電圧が安定する。また、チョッパー２９の回転や位置検出用の位置センサ３１との隙間も小さくすることができ、センサ部全体の小型化ができる。
【００１５】
図２は、図１で実現した安定した回転により、赤外線センサ２３とチョッパー２９の間に、仕切り板３２を設けることによりセンサの非動作時にチョッパー２９を赤外線センサ２３と通過孔２６を遮る状態で停止させることにより、チョッパー２９と仕切り板３２の隙間が小さくなるため蒸気の進入を防ぐことができ、赤外線センサ２３の汚れを抑えることができる。
【００１６】
【発明の効果】
以上の様に本発明のセンサの構成によればチョッパーがモータの軸の影響を受けずに安定した回転をすることにより、安定した赤外線の検出と不必要に隙間を大きくすることなくセンサ部全体の小型化、小スペース化が可能になる。仕切り板を設けることにより蒸気の進入を防ぐことができ、赤外線センサの汚れを抑えることができる。
【図面の簡単な説明】
【図１】本発明の実施例に於ける加熱装置のセンサ部の要部断面図
【図２】同センサ部の要部断面図
【図３】同加熱装置の要部断面図
【図４】従来の実施例における加熱装置のセンサ部の要部断面図
【符号の説明】
２１  加熱室
２２  センサ取り付け板
２３  赤外線センサ
２５，２６  通過孔
２７  モータ
２８  軸
２９  チョッパー
３０  チョッパー受け
３１  位置センサ
【図１】
0003924882.tif 000002
【図２】
0003924882.tif 000003
【図３】
0003924882.tif 000004
【図４】
0003924882.tif 000005